(57)【特許請求の範囲】
【請求項１】
台紙と、
被包装物が収縮したシュリンクフィルムで包装された物品と、
接着剤層と、
を備え、前記台紙の表面に前記物品が接着剤層を介して接合された台紙付き包装体であって、
前記物品の側を表側とし、前記台紙の側を裏側とし、
前記台紙が透明な合成樹脂シートからなり、
前記合成樹脂シートの表面であって前記接着剤層の側と反対側の裏側の表面に対して、順に、第一印刷層と第二印刷層と第三印刷層を備えており、
前記第一印刷層が前記台紙の表側の表面から読み取り可能であり、前記第三印刷層が前記台紙の裏側の表面から読み取り可能であり、前記第二印刷層は白ベタ印刷層であることを特徴とする台紙付き包装体。
【請求項２】
前記台紙は湾曲していない板状であり、前記台紙の上部に吊り下げ孔を備え、前記台紙の前記吊り下げ孔が配された上側とは反対の下側の端縁から間隔を置いた高さ位置に前記物品の底面が配されるよう、前記物品が前記台紙に対して接合されていることを特徴とする請求項１に記載の台紙付き包装体。
【発明の詳細な説明】
【技術分野】
【０００１】
本発明は、台紙付き包装体に関する。詳しくは、台紙に表示された情報等を台紙の表裏両面から読み取ることができ、店頭展示に適すると共に、台紙付き包装体から物品を剥がし、物品が剥がされた台紙は再利用が可能な台紙付き包装体に関する。
【背景技術】
【０００２】
店頭展示に適した包装形態として、ブリスター包装が広く知られている。ブリスター包装は、被包装物の形状に合わせて成形されたシート成形品と物品に関する情報や消費者への訴求効果を得るためのデザイン等が印刷された台紙とからなり、シート成形品に物品を収納して開口部を台紙で覆いシート成形品と台紙を接合する包装形態である。しかし、近年、環境問題の高まりから、廃棄に際し、嵩張るブリスター包装に代わり、廃棄物の減容化が図れるシュリンク包装が注目され、採用され始めている。
【０００３】
シュリンク包装された台紙付き包装体としては、台紙の一部に舌状片を切り抜き形成し、台紙の下端縁部に連接して、舌状片のほぼ中心を通る線上に折り返し片を形成し、舌状片に環状の熱収縮フィルムを差込んだ後、この環状の熱収縮フィルム内に折り返し片を折曲しながら所望の商品を環状の熱収縮フィルムの下側から入れ、折り返し片を熱収縮フィルム上に重ね、環状の熱収縮フィルムを加熱し、収縮させて、台紙上に商品を保持する包装形態が開示されている（例えば、特許文献１参照）。
【０００４】
しかし、特許文献１に開示された台紙付きシュリンクは、台紙に紙が用いられているために、耐水性がなく、台紙が吸湿すると台紙のカール等が発生し、見栄えが著しく低下したり、また、商品を台紙から剥がすと台紙の紙剥けや台紙に情報等の印刷が施されている場合には台紙のインキ剥がれが発生することがあり、台紙の情報が読み取れないことがあり、例えば説明書等として保管したいときも、シュリンクフィルムと共に台紙も廃棄されるという問題がある。
【先行技術文献】
【特許文献】
【０００５】
【特許文献１】特開平１０−３１６１６４号公報
【発明の概要】
【発明が解決しようとする課題】
【０００６】
そこで本発明は、上記問題を解決すべくなされたものであり、その目的とするところは収縮したシュリンクフィルムで包装された物品を台紙から剥がしても台紙の紙剥けや台紙のインキ剥がれが発生することがなく、また、台紙の吸湿によるカール発生を防止できる台紙付き包装体を提供することにある。
【課題を解決するための手段】
【０００７】
本発明は、上記課題を達成するために、請求項１記載の本発明は、台紙と、被包装物が収縮したシュリンクフィルムで包装された物品と、接着剤層と、を備え、前記台紙の表面に前記物品が接着剤層を介して接合された台紙付き包装体であって、前記物品の側を表側とし、前記台紙の側を裏側とし、前記台紙が透明な合成樹脂シートからなり、前記合成樹脂シートの表面であって前記接着剤層の側と反対側の裏側の表面に対して、順に、第一印刷層と第二印刷層と第三印刷層を備えており、前記第一印刷層が前記台紙の表側の表面から読み取り可能であり、前記第三印刷層が前記台紙の裏側の表面から読み取り可能であり、前記第二印刷層は白ベタ印刷層であることを特徴とする台紙付き包装体である。
【０００８】
また、請求項２記載の本発明は、請求項１に記載の台紙付き包装体において、前記台紙は湾曲していない板状であり、前記台紙の上部に吊り下げ孔を備え、前記台紙の前記吊り下げ孔が配された上側とは反対の下側の端縁から間隔を置いた高さ位置に前記物品の底面が配されるよう、前記物品が前記台紙に対して接合されていることを特徴とするものである。
【発明の効果】
【０００９】
本発明の台紙付き包装体は、台紙が透明な合成樹脂シートからなり、被包装物が収縮したシュリンクフィルムで包装された物品と接合される側と反対側に第一印刷層と第二印刷層と第三印刷層を備える構成とすることにより、収縮したシュリンクフィルムで包装された物品を台紙から剥がしても台紙の紙剥けや台紙のインキ剥がれが発生することがないので台紙を例えば使用説明書や効能書き書として再利用が可能となり保管にも適したものとなる。また、台紙の吸湿が抑制できカール発生防止ができる。
【図面の簡単な説明】
【００１０】
【図１】本発明に係る台紙付き包装体の一実施形態を示す正面図である。
【図２】図１のＸ−Ｘ線断面図である。
【図３】本発明に係る台紙付き包装体の一実施形態を示す正面図である。
【図４】本発明に係る台紙付き包装体の一実施形態を示す背面図である。
【図５】本発明に係る台紙付き包装体の製造方法の第一実施形態を示す説明図である。
【図６】本発明に係る台紙付き包装体の製造方法の第二実施形態を示す説明図である。
【発明を実施するための形態】
【００１１】
上記の本発明について、図面等を用いて以下に詳述する。
図１は本発明に係る台紙付き包装体の一実施形態を示す正面図、図２は図１のＸ−Ｘ線断面図、図３は本発明に係る台紙付き包装体の一実施形態を示す正面図、図４は本発明に係る台紙付き包装体の一実施形態を示す背面図、図５は本発明に係る台紙付き包装体の製造方法の第一実施形態を示す説明図、図６は本発明に係る台紙付き包装体の製造方法の第二実施形態を示す説明図であり、図中の１は台紙付き包装体、２はシュリンクフィルム付き台紙、１０は台紙、１１は透明な合成樹脂シート、１２は第一印刷層、１２ａ、１２ｂは第一表示部、１３は第二印刷層、１４は第三印刷層、１４ａ、１４ｂは第三表示部、１５は吊り下げ孔、２０は接着剤層、３０は物品、３１は収縮したシュリンクフィルム、３２は被包装物、３３はシュリンクフィルム、３４はミシン目、３５は開封部をそれぞれ示す。
【００１２】
図１は本発明に係る台紙付き包装体の一実施形態を示す正面図、図２は図１のＸ−Ｘ線断面図であって、図１、図２に示すように本発明の台紙付き包装体１は、台紙１０と、被包装物３２が収縮したシュリンクフィルム３１で包装された物品３０と、接着剤層２０と、を備え、台紙１０の表面に物品３０が載置され、収縮したシュリンクフィルム３１と台紙１０が接着剤層２０を介して接合されており、物品３０が台紙１０に固定されている。本発明では、収縮させる前の状態のフィルムを単にシュリンクフィルムと呼び、収縮させた後の状態のフィルムを収縮したシュリンクフィルムと呼ぶこととする。
【００１３】
図２の円内に台紙１０の積層構成例を示す拡大断面図を示す。台紙１０は、透明な合成樹脂シート１１からなり、表面に接着剤層２０と接着剤層２０を介して接合された物品３０を備えており、接着剤層２０の側と反対側の裏面に第一印刷層１２と第二印刷層１３と第三印刷層１４を備え、この順に積層されている。第一印刷層１２は透明な合成樹脂シート１１を透して表面から視認可能であり、第三印刷層１４は裏面から視認可能である。第二印刷層１３は第一印刷層１２と第三印刷層１４が相互に干渉して読み難くなることを防ぐために設けるものであり、第二印刷層１３を設けることにより、第一印刷層１２は表面から、第三印刷層１４は裏面から容易に読み取ることができる。第二印刷層１３はベタ印刷層であることが好ましく、全面に設けることもできるし、第一印刷層１２及び第三印刷層１４が配置される位置に合わせて部分的に設けてもよい。つまり第一印刷層１２と第三印刷層１４が直接接して積層されないように構成することが好ましい。さらに第二印刷層１３は例えば白ベタを複数重ね刷し多色刷とし隠蔽性を上げることもできる。また、第一印刷層１２及び第三印刷層１４はそれぞれ多色印刷層ないし単色印刷層で設けられ、デザイン等により適宜選択される。また第一印刷層１２、第二印刷層１３、第三印刷層１４を覆うようにオーバーコート層を設けて耐摩擦性、耐擦傷性を付与することもできる。
【００１４】
図１、図３に示すように台紙付き包装体１は台紙１０の表面から透明な合成樹脂シート１１（図２参照）を透して第一印刷層１２で形成された第一表示部１２ａ、１２ｂが読み取ることができる。一実施形態では、第一表示部１２ａには商品名が印刷され、第一表示部１２ｂには多色カラー印刷で形成されたデザインやキャッチコピーが印刷された例を示している。
【００１５】
また、図１、図３に示すように台紙付き包装体１には例えば円柱状の被包装物３２が収縮したシュリンクフィルム３１で包装された物品３０が接着剤層２０（図２参照）を介して台紙１０の表面に接合されている。収縮したシュリンクフィルム３１は円柱状の被包装物３２の天面及び底面の周縁を被覆するように包装され台紙１０に固定されている。収縮したシュリンクフィルム３１には二本のミシン目３４が上端から下端に至るまで並行して設けられ下端または上端に図示しないが開封開始手段が設けられている。二本のミシン目３４で挟まれた部分が開封部３５とされている。
【００１６】
台紙付き包装体１は、上部にはコンビニ等で吊下げで展示するための吊り下げ孔１５を備える。吊り下げ孔１５は台紙付き包装体１を吊下げたとき、台紙付き包装体１が斜めにならないようにバランスがとれる位置に設けられる。吊り下げ孔１５は必須ではないが陳列展示以外に吊下げ展示も可能となり設ける方が好ましい。
【００１７】
図４は本発明に係る台紙付き包装体１の一実施形態を示す背面図である。図４に示すように台紙付き包装体１の裏面からは第三印刷層１４で形成された第三表示部１４ａ、１４ｂが読み取ることができる。一実施形態では、第三表示部１４ａには使用説明書のタイトルが印刷され、第三表示部１４ｂには使い方等の情報が印刷された例を示している。
一実施形態では被包装物３２として例えばリップクリーム等が収納された円柱状容器を例に説明したが、内容物や容器の形状等はこれに限定されるものではなく、本発明の趣旨を逸脱しない範疇のものは、すべて本発明に含まれるものである。
【００１８】
本発明の台紙付き包装体１に用いる台紙１０としては、耐水性があり吸湿が抑制できる透明な合成樹脂シート１１が好ましい。本発明において合成樹脂シートが透明であることが重要で合成樹脂シートの裏面に第一印刷層１２、第二印刷層１３、第三印刷層１４を設けても表面から透明な合成樹脂シート１１を透して第一印刷層１２が読み取り可能となる。さらに第二印刷層１３を設けることにより第三印刷層１４が裏面から読み取り可能となる。透明な合成樹脂シート１１に用いる合成樹脂としては、ポリエステル系、ポリエチレンやポリプロピレン等のポリオレフィン系、ナイロン系、アクリル系、ポリスチレン系、ポリ乳酸系等が使用できる。また、透明な合成樹脂シート１１の厚さとしては物品３０を接合したときに台紙１０が変形しない程度の厚さであればよく、特に限定されない。
【００１９】
第一印刷層１２、第二印刷層１３、第三印刷層１４はグラビア印刷法、フレキソ印刷法、オフセット印刷法等で設けることができる。オフセット印刷法の場合、紫外線硬化型インキを用いること（以下、ＵＶ印刷という。）が好ましい。
【００２０】
シュリンクフィルム３３に用いる樹脂としては、ポリスチレン、ポリ塩化ビニル、ポリプロピレン、ポリエチレン、ポリエステル等の樹脂が用いられ、単層フィルムあるいは複層フィルムとされる。複層フィルムの場合、各々の同種類の樹脂同志を組合せた複層、あるいは、各々の樹脂を組合せた複層としてもよい。シュリンクフィルム３３は、熱で収縮するフィルムであればよく、タテ方向、ヨコ方向の両方向に収縮するフィルムが好ましく使用される。
【００２１】
接着剤層２０に用いる接着剤としては、ホットメルト接着剤、粘着剤、水系接着剤、溶剤系接着剤等を用いることができるが、熱溶融させて塗布でき冷却することにより初期接着力が発揮されるホットメルト接着剤が作業性、生産性が向上するので好ましく用いられる。また、ホットメルト接着剤に気泡が含有された発泡ホットメルト接着剤はより好ましい。
【００２２】
ホットメルト接着剤としては、少なくともエチレン・酢酸ビニル共重合体、スチレン系ポリマー、エチレン・不飽和エステル共重合体、ポリエステル、ポリオレフィン、ポリアミド系等の熱可塑性樹脂の一種以上を含むベースポリマーと、クマロン・インデン樹脂、ポリテルペン樹脂、フェノール樹脂、変性フェノール樹脂、テルペンフェノール樹脂、キシレンフェノール樹脂、シクロペンタジエン−フェノール樹脂、キシレン樹脂、芳香族炭化水素樹脂、脂肪族環状炭化水素樹脂、水素添加炭化水素樹脂、炭化水素系樹脂、ポリブテン、ロジン、ロジンエステル、水素添加ロジン、水素添加ロジンとモノアルコールまたは多価アルコールとのエステル、脂肪族系石油樹脂、芳香族系石油樹脂、及び共重合系石油樹脂粘着付与樹脂の一種以上を含むタッキファイヤー（粘着付与樹脂）を含有するものである。さらに、ワックスを含有することが好ましく、要求される特性により、充填剤、軟化剤、可塑剤、着色剤、ブロッキング防止剤、抗酸化剤、粘度調整剤、発泡剤等が適宜含有できる。
【００２３】
次に、図５を参照しながら本発明の台紙付き包装体１の製造方法の第一実施形態について説明する。まず、シュリンクフィルム３３は、広幅の巻取を巻き戻しながら必要により印刷を行い、所定の幅にスリットして、スリットされた両端を重ね合わせ封筒貼りし、円柱状の被包装物３２の周長より収縮率を考慮して大きく設定された所定の周長の筒状とした後、折り畳んで巻取にする。その後、被包装物３２の長さより長く設定された所定の長さに断裁機で断裁し図５（イ）に示すスリーブ状のシュリンクフィルム３３が得られる。なお、ミシン目３４はスリットの工程で形成するか、断裁工程で巻取を巻き戻す際に折り畳まれて二重に重なったシュリンクフィルムを同時にミシン刃が貫通するように形成してもよい。
【００２４】
一方、大きなサイズの透明な合成樹脂シートの片面に第一印刷層１２、第二印刷層１３、第三印刷層１４を印刷し、多面付けの大きなサイズの透明な合成樹脂シートを作製し断裁乃至打ち抜き工程を経て、所定の寸法に仕上げられた台紙１０を準備する。台紙１０の透明な合成樹脂シート１１（図２参照）に設けられた各印刷層とは反対側の表面の所定位置に例えば発泡ホットメルト接着剤等のホットメルト接着剤を塗布して接着剤層２０を形成し、スリーブ状のシュリンクフィルム３３を接着させる。
【００２５】
つぎに図５（ロ）に示すように被包装物３２をシュリンクフィルム付き台紙２のシュリンクフィルム３３のスリーブ状の中に被包装物３２を挿入して、例えばシュリンクトンネルで加熱させてシュリンクフィルム３３を熱収縮させシュリンク包装された物品３０が台紙１０に固定された台紙付き包装体１（図１参照）が得られる。
【００２６】
次に、図６を参照しながら本発明の台紙付き包装体１の製造方法の第二実施形態について説明する。台紙付き包装体１の製造方法の第二実施形態は、図６（イ）に示すようにスリーブ状のシュリンクフィルム３３のスリーブ状の中に被包装物３２を挿入して、第一実施形態と同様にシュリンクトンネル等で加熱させてシュリンクフィルム３３を熱収縮させ図６（ロ）に示すようにシュリンク包装された物品３０を先に作製する。そして、台紙１０に発泡ホットメルト接着剤等のホットメルト接着剤を塗布して接着剤層２０を形成し物品３０を台紙１０に固定することにより台紙付き包装体１（図１参照）が得られる。なお、第二実施形態の場合は、被包装物３２をシュリンクフィルム３３で包装した後、シュリンクフィルム３３を熱収縮させる方法であり、スリーブ状のシュリンクフィルム３３の形状に限定されることなく、被包装物３２全体をシュリンクフィルム３３で被覆（以下、フルシュリンクという。）するようにしてもよい。
【００２７】
本発明の台紙付き包装体１は、物品３０を台紙１０から剥がしても、合成樹脂シートを用いているので台紙１０の紙剥けがすることがない。また、第一印刷層１２、第二印刷層１３、第三印刷層１４は物品３０と接合される側と反対側に備えた構成であるので物品３０を台紙１０から剥がしても台紙１０のインキ剥がれがない。したがって、台紙１０に例えば使用説明書や効能書き書等が記載された情報カードとして再利用が可能となる。また、保管に適したものとなる。さらに吸湿することがないのでカールが発生することもなく美観を保つことができる。
【実施例】
【００２８】
つぎに、本発明について以下に実施例を挙げてさらに詳しく説明する。
〔実施例１〕
台紙１０の透明な合成樹脂シート１１として、厚さ３００μｍのポリエチレンテレフタレート製シート（三菱化学株式会社製：ノバクリアー）を用い、断裁して、１１０ｍｍ×１７０ｍｍの台紙１０を作製した。
【００２９】
透明な合成樹脂シート１１の裏面には大きなサイズの状態で予めオフセット印刷法でＵＶ印刷を施し、第一印刷層１２、第二印刷層１３、第三印刷層１４を順に形成した。第一印刷層１２は黄、赤、藍、墨の４色を重ね刷りして透明な合成樹脂シート１１を透して読み取り可能なように第一表示部１２ａ、１２ｂを設けた。第三印刷層１４は墨１色印刷とし、裏面である第三印刷層１４の側から読み取り可能な第三表示部１４ａ、１４ｂを設けた。第二印刷層１３は白のベタ印刷を行い、第一印刷層１２、第三印刷層１４が設けられた領域を必ず含む領域に設け第一印刷層１２と第三印刷層１４が直接接しないようにした。なお、第二印刷層１３は隠蔽性を上げるために白ベタの多色刷とすることもある。
【００３０】
シュリンクフィルム３３として、厚さ４０μｍの複層ハイブリッドタイプのシュリンクフィルム（グンゼ株式会社製：品名ファンシーラップ  タイプＨＧＬ）を使用して幅方向の両端を重ねて封筒貼りし、折径（折り畳んだ状態の幅方向の寸法）４０ｍｍの筒状で長さ方向に９０ｍｍに断裁した。
【００３１】
つぎに溶融したホットメルト接着剤を台紙１０の所定位置に塗布し、上記筒状のシュリンクフィルム３３を接着させて図５に示すシュリンクフィルム付き台紙２を得た。
【００３２】
被包装物３２として、直径２０ｍｍ×長さ７０ｍｍの容器に収納されたリップクリームを準備し、シュリンクフィルム付き台紙２のシュリンクフィルム３３のスリーブ状の中にリップクリームを挿入し、シュリンクトンネルを通過させ、シュリンクフィルム３３を熱収縮させ、収縮したシュリンクフィルム３１で包装された物品３０を台紙１０に固定した台紙付き包装体１を得た。
【００３３】
〔実施例２〕
台紙１０の透明な合成樹脂シート１１として、厚さ３００μｍのポリプロピレン製シート（シーダム株式会社製：グランアクア）を用いた以外は、実施例１と同じとした。
【００３４】
〔実施例３〕
実施例１で作製した台紙１０、筒状のシュリンクフィルム３３、被包装物３２を用いて先に被包装物３２が収縮したシュリンクフィルム３１で包装された物品３０を作製した。つぎに発泡ホットメルト塗布装置を用いて溶融したホットメルト接着剤に気泡が含有された発泡ホットメルト接着剤を台紙１０の所定位置に塗布し、物品３０を台紙１０に固定した。実施例３は、実施例１と製造方法が異なるだけで使用材料等は同じにした。
【００３５】
〔実施例４〕
台紙１０の透明な合成樹脂シート１１として、厚さ３００μｍのポリプロピレン製シート（シーダム株式会社製：グランアクア）を用いた以外は、実施例３と同じとした。
【００３６】
〔実施例５〕
シュリンクフィルム３３として、厚さ２２．５μｍの多層シュリンクフィルム（大倉工業株式会社製：品名ラプラー５０１）を使用し、被包装物３２全体をシュリンクフィルム３３でオーバーラッピングし、先に被包装物３２が収縮したシュリンクフィルム３１でフルシュリンク包装された物品３０を作製した。その後、実施例３と同様にして物品３０を台紙１０に固定した。実施例５はシュリンクフィルムが異なる点とフルシュリンクされている点で実施例３と異なるが、その他は実施例３と同じである。
【００３７】
〔実施例６〕
実施例５で作製した台紙１０の透明な合成樹脂シート１１として、厚さ３００μｍのポリプロピレン製シート（シーダム株式会社製：グランアクア）を用いた以外は、実施例５と同じとした。
【００３８】
〔比較例１〕
台紙として、坪量３１０ｇ／ｍ2 の板紙を用い表面に第一印刷層１２を裏面に第三印刷層１４をオフセット印刷法で形成した。その他は実施例２と同様にして台紙付き包装体を得た。
【００３９】
上記で作製した実施例１〜６及び比較例１は、表面からは第一印刷層１２で形成された第一表示部１２ａ、１２ｂが読み取ることができ、裏面から第三印刷層１４で形成された第三表示部１４ａ、１４ｂが読み取ることができた。
つぎに物品３０を台紙１０から剥がすと実施例１〜６は台紙のインキ剥がれ及び紙剥けもなく台紙１０は綺麗であり第一表示部１２ａ、１２ｂの読み取りができ、再利用可能なものであった。一方、比較例１は物品３０を台紙から剥がすと紙剥けが発生し、インキも紙剥けした紙片に付いたままで物品３０が剥がされた台紙の表面の情報は読み取ることができなかった。
【符号の説明】
【００４０】
１                    台紙付き包装体
２                    シュリンクフィルム付き台紙
１０                  台紙
１１                  透明な合成樹脂シート
１２                  第一印刷層
１２ａ、１２ｂ        第一表示部
１３                  第二印刷層
１４                  第三印刷層
１４ａ、１４ｂ        第三表示部
１５                  吊り下げ孔
２０                  接着剤層
３０                  物品
３１                  収縮したシュリンクフィルム
３２                  被包装物
３３                  シュリンクフィルム
３４                  ミシン目
３５                  開封部
【図１】
0006728693.tif 000002
【図２】
0006728693.tif 000003
【図３】
0006728693.tif 000004
【図４】
0006728693.tif 000005
【図５】
0006728693.tif 000006
【図６】
0006728693.tif 000007